(57)【要約】【課題】  カードの発行開始時刻が定まっていないために、カードに記録する情報及び記録済みのカードが長時間発行装置に保持されることになり、セキュリティ上問題である。【解決手段】  カード引き渡し時刻とカード発行に要する時間とから、カードの発行開始時刻を演算決定し、決定した時刻にカード発行を開始する。【選択図】        図１
2005084855.tif 000002
【特許請求の範囲】
【請求項１】
カードに所定の情報を記録する記録部、
カードの引き渡し日時を入力する日時入力部、
発行するカードの枚数を決定する枚数決定部、
カード発行に要する所用時間を決定された前記枚数に基づいて演算し、前記日時入力部で入力された前記日時と前記所用時間とから前記記録部における記録を含むカード発行の開始時刻を決定する時間管理部及び、
制御手段を有し、
前記制御手段は、前記時間管理部により決定された時刻にカードの発行を開始する制御を行うことを特徴とするカード発行装置。
【請求項２】
付帯情報入力部を有し、前記時間管理部は、前記付帯情報入力部からの付帯情報に基づいて、前記開始時刻を決定することを特徴とする請求項１に記載のカード発行装置。
【請求項３】
前記カードの発行を報知する発行報知部を有することを特徴とする請求項１又は請求項２に記載のカード発行装置。
【請求項４】
通信部を有し、前記引き渡し日時及び前記付帯情報の少なくとも一部が前記通信部を介して取得されることを特徴とする請求項２又は請求項３に記載のカード発行装置。
【請求項５】
前記制御手段は、割り込み発行の要求があった場合に、割り込み処理によるカードの発行を行うことを特徴とする請求項１〜４のいずれか１項に記載のカード発行装置。
【請求項６】
前記割り込み処理による発行を報知する割り込み報知部を有することを特徴とする請求項５に記載のカード発行装置。
【請求項７】
カードに所定の情報を記録する記録部、割り込み入力部及び制御手段を有し、
前記制御手段が前記記録部がバッチ処理で記録を行っている際に割り込み要求があったときに、割り込み処理による発行を行うカード発行装置において、
前記割り込み処理による発行を報知する割り込み報知部を有することを特徴とするカード発行装置。
【請求項８】
記録済みカードを収納するスタッカを有し、前記バッチ処理による記録済みカードと、前記割り込み処理による記録済みカードとを１個の前記スタッカに収納することを特徴とする請求項７に記載のカード発行装置。
【請求項９】
所定の時刻にカードの引き渡しを行うカード発行方法において、
少なくとも前記所定の時刻内に引き渡すべきカードの枚数に基づいて、カードに所定の情報を記録し発行可能なカードを作成するのに要する時間を演算し、演算した時間に基づいて、カードの発行開始時刻を決定し、カード発行を開始することを特徴とするカード発行方法。
【請求項１０】
前記開始時刻の決定に、付帯情報が算入されることを特徴とする請求項９に記載のカード発行方法。
【請求項１１】
所定の情報をカードに記録し、カードを発行するカード発行工程をバッチ処理により行い、前記バッチ処理による発行工程の実行中に割り込み要求が合った場合に、割り込み処理によるカード発行を行うカード発行方法において、前記割り込み処理によるカード発行の開始を報知することを特徴とするカード発行方法。
【請求項１２】
前記バッチ処理により作成されたカードと前記割り込み処理により作成されたカードとを１個のスタッカに収納することを特徴とする請求項１１に記載のカード発行方法。
【発明の詳細な説明】
【技術分野】
【０００１】
本発明は、カード所有者を証明する証明カード、すなわち、従業員証、学生証、各種の資格を証明する資格証明証等のＩＤカード、クレジットカード、キャッシュカード等のカードを発行する装置及びカード発行方法に関する。
【背景技術】
【０００２】
各種の資格証明証、身分証明証等のＩＤカード、クレジットカード、キャッシュカード等の各種カードは一般に、券面に、所有者氏名、年齢、有効期限、住所等の所定情報が印刷された記録媒体を樹脂フィルムで保護したものである。
【０００３】
ＩＤカードでは所有者の顔写真が前記記録媒体に印刷され、また、前記した印刷画像が形成された記録媒体の他に、ＩＣチップとアンテナを有し、電子情報が記録され、更に、磁気記録媒体を有し、磁気情報が記録されたカードが普及している。
【０００４】
カードの発行形態には種々あるが、ＩＤカードにおける典型的な発行形態は次のとおりである。
【０００５】
カードの発行は申請に基づいて行われ、申請に対応したタイミングでカードが発行される。このような発行形態では、申請順に発行が行われるために、優先発行を行う場合に対応できない、間欠して申請があった場合に、発行も間欠的に実行されるので、待機時にカード発行装置が消費する電力消費が問題となる、登録・変更がある場合に、操作が煩雑になる等の問題がある。
【０００６】
特許文献１では、このような問題を解決するために、ＩＤカード毎の情報を登録しておき、設定された発行日時に登録情報を連続して読み出し、カード発行を連続して行うカード発行装置が提案されている。
【０００７】
また、従来のカード発行装置のあるものは、まとまった数量のカードをバッチ処理により発行する工程中に割り込み要求が合った場合に、割り込み処理を行うことによりカード発行を行うことが出来る割り込み処理機能を備えている。
【特許文献１】特開２００２−２４４４４号公報
【発明の開示】
【発明が解決しようとする課題】
【０００８】
カードの発行工程を作業順に記述すると、いわゆる生カードに所定の情報を印刷し、電子記録し、磁気記録し、保護層をラミネートするカード作成工程及びできあがったカードを申請者に引き渡す引き渡し工程からなり、資格証明証では引き渡し工程が交付工程である。前記カード作成工程にはカード１枚１枚について所定時間を要し、発行枚数が多い場合には、所用時間が長くなる。特許文献１のように、離散的に申請があったものの情報を登録しておいて、設定された発行日時に連続して情報を読み出し、発行を行う方式では、カード作成完了時刻が決まっていないために、情報の漏洩や発行作業の効率が良くない等の問題があった。
【０００９】
すなわち、カード作成の開始時刻は、通常、１日における業務開始時であるが、引き渡し時刻がカード作成時から長時間経過後に指定されている場合には、各カードに記録する情報がカード発行装置内に保持されている状態が長時間続くとともに、できあがりのカードが発行装置のスタッカに長時間収納されていることになり、情報が漏洩する可能性がある。このために、カード作成完了を常に監視する必要があるという問題があった。
【００１０】
本発明は、カード発行作業の効率を上げる等の目的で、カードに記録する情報を蓄積し、発行時に連続して読み出しカードに記録する特許文献１の発行方式における前記のような機密保持上の問題を解決することを目的とする。
【００１１】
多数枚のカードを連続作成する等のように、バッチ処理により作成されたカードと割り込み処理により作成されたカードを区別することが必要である。
【００１２】
従来、このような仕分けのために、複数のスタッカを設置し、バッチ処理により作成されたカードと割り込み処理により作成されたカードとを異なるスタッカに収納することが行われているが、この方法では、複数のスタッカを設けるために装置が大型になるという問題がある。また、割り込み処理に係るカードが何時作成されたか分からないと、割り込み処理により作成されたカードを探すのに時間を要し、場合によっては紛失する可能性がある。
【００１３】
本発明は、割り込み処理によりカードを作成する場合におけるこのような問題を解決することを目的とする。
【課題を解決するための手段】
【００１４】
１．
カードに所定の情報を記録する記録部、
カードの引き渡し日時を入力する日時入力部、
発行するカードの枚数を決定する枚数決定部、
カード発行に要する所用時間を決定された前記枚数に基づいて演算し、前記日時入力部で入力された前記日時と前記所用時間とから前記記録部における記録を含むカード発行の開始時刻を決定する時間管理部及び、
制御手段を有し、
前記制御手段は、前記時間管理部により決定された時刻にカードの発行を開始する制御を行うことを特徴とするカード発行装置。
【００１５】
２．
付帯情報入力部を有し、前記時間管理部は、前記付帯情報入力部からの付帯情報に基づいて、前記開始時刻を決定することを特徴とする前記１に記載のカード発行装置。
【００１６】
３．
前記カードの発行を報知する発行報知部を有することを特徴とする前記１又は前記２に記載のカード発行装置。
【００１７】
４．
通信部を有し、前記引き渡し日時及び前記付帯情報の少なくとも一部が前記通信部を介して取得されることを特徴とする前記２又は前記３に記載のカード発行装置。
【００１８】
５．
前記制御手段は、割り込み発行の要求があった場合に、割り込み処理によるカードの発行を行うことを特徴とする前記１〜４のいずれか１項に記載のカード発行装置。
【００１９】
６．
前記割り込み処理による発行を報知する割り込み報知部を有することを特徴とする前記５に記載のカード発行装置。
【００２０】
７．
カードに所定の情報を記録する記録部、割り込み入力部及び制御手段を有し、
前記制御手段が前記記録部がバッチ処理で記録を行っている際に割り込み要求があったときに、割り込み処理による発行を行うカード発行装置において、
前記割り込み処理による発行を報知する割り込み報知部を有することを特徴とするカード発行装置。
【００２１】
８．
記録済みカードを収納するスタッカを有し、前記バッチ処理による記録済みカードと、前記割り込み処理による記録済みカードとを１個の前記スタッカに収納することを特徴とする前記７に記載のカード発行装置。
【００２２】
９．
所定の時刻にカードの引き渡しを行うカード発行方法において、
少なくとも前記所定の時刻内に引き渡すべきカードの枚数に基づいて、カードに所定の情報を記録し発行可能なカードを作成するのに要する時間を演算し、演算した時間に基づいて、カードの発行開始時刻を決定し、カード発行を開始することを特徴とするカード発行方法。
【００２３】
１０．
前記開始時刻の決定に、付帯情報が算入されることを特徴とする前記９に記載のカード発行方法。
【００２４】
１１．
所定の情報をカードに記録し、カードを発行するカード発行工程をバッチ処理により行い、前記バッチ処理による発行工程の実行中に割り込み要求が合った場合に、割り込み処理によるカード発行を行うカード発行方法において、前記割り込み処理によるカード発行の開始を報知することを特徴とするカード発行方法。
【００２５】
１２．
前記バッチ処理により作成されたカードと前記割り込み処理により作成されたカードとを１個のスタッカに収納することを特徴とする前記１１に記載のカード発行方法。
【００２６】
なお、本発明においては、カードの発行は、カードの作成開始から申請者に引き渡す間での一連の工程を意味する。
【発明の効果】
【００２７】
請求項１〜６、９又は１０のいずれかの発明により、指定された時刻にカード作成作業が完了するので、カードに記録する情報及び情報記録済みのカードが長時間カード発行装置内に保持されることがなくなり、情報の漏洩の防止等のセキュリティが向上する。
【００２８】
請求項３の発明により、カード発行装置が作動中であることがわかるので、カード発行装置を絶えず監視する必要がなくなり、また、カード発行装置が不作動の状態で放置されることがないので、セキュリティが向上する。
【００２９】
請求項６〜８、１１又は１２のいずれかの発明により、割り込み処理によるカード作成作業中であることが報知されるので、割り込み処理に係るカードの所在が把握され、カードの紛失等を防止することができる。
【００３０】
請求項８又は請求項１２の発明により、バッチ処理により作成されたカードと割り込み処理により作成されたカードを１個のスタッカに収納するので、カード発行装置を小型化することが可能になる。
【発明を実施するための最良の形態】
【００３１】
図１は本発明の実施の形態に係るカード発行装置のブロック図である。カード発行装置は、撮影装置ＰＳ及びプリンタＰＴからなり、ホストコンピュータＨＣと接続されている。
【００３２】
撮影装置ＰＳは、入力部１、撮影部２、通信部３、記憶部４、制御部５、時間管理部６及び割り込み入力部７を有する。
【００３３】
入力部１は日時入力部１Ａ及び付帯情報入力部１Ｂを有し、日時入力部１Ａは、表１に示すように、カードの交付予定日時を入力する部分であり、具体的には、キーボード、マウス、接触センサ等を用いた操作により、カードの交付日時が入力される。表１に示すように、１日において複数の時刻を設定する場合もある。付帯情報入力部１Ｂは、交付すべきカードの種類や、指定した日時に交付すべきカード受付番号の範囲等が前記と同様な操作により入力される。なお、交付を含む引き渡しには、手渡し、郵送等における発送が含まれる。
【００３４】
たとえば、表１に示すように受付番号１〜１０００番までを１バッチとして交付日時を指定することが行われる。
【００３５】
【表１】
2005084855.tif 000003
【００３６】
２は撮影部であり、カード所有者の顔写真を撮影して、顔写真の画像情報を生成する。生成された画像情報は記憶部４に記憶される。
【００３７】
制御手段としての制御部５は、主として次のことを実行する。
【００３８】
第１に、入力部１で入力された情報に基づいて、顔写真の画像情報以外の記録情報をホストコンピュータＣから取得する。このような情報としては、カード所有者の氏名、年齢、住所等を含む個人情報がある。ホストコンピュータＣから取得した情報は記憶部４に記憶される。
【００３９】
第２に、入力部１において入力された付帯情報に基づいて、記憶部４からカードに記録すべき情報を抽出し読み出してプリンタＰＴに伝送する。
【００４０】
第３に、後に説明する時間管理部６で決定した発行開始時刻に、発行開始指令をプリンタＰＴに伝送する。
【００４１】
記憶部４は撮影部２が生成した画像情報及びホストコンピュータＨＣから取得した情報を記憶する。
【００４２】
時間管理部６は、日時入力部１Ａにおいて入力された交付日時にカードの交付ができるように、カード発行の開始時刻を決定する。具体的には、１枚のカードの作成するのに要する時間と発行枚数とに基づいて、指定された交付日時にカードの作成を完了するためには、開始時刻を何時にするかを演算する。この演算はたとえば、次の式に従って行われる。
【００４３】
発行開始時刻＝交付日時−（作成速度×枚数＋開始待ち時間＋消耗品又は交換品の補給時間＋交付時間）
前記演算式において、交付日時は、日時入力部１Ａに入力された日付及び時刻であり、作成速度は、１枚のカード当たりの作成所用時間であり、例えば、単位時間当たりの作成枚数である。作成速度は、発行するカードの種類により異なり、カードの種類の情報は、付帯情報入力部１Ｂから入力された付帯情報に含まれる。
【００４４】
枚数は、付帯情報入力部１Ｂに入力された付帯情報に基づいて制御部５で決定される。付帯情報は表１に示すように受付番号を含んでおり、Ａバッチ、Ｂバッチ、Ｃバッチ、Ｄバッチの付帯情報の範囲内の受付番号のカードの交付時刻が指定されている。各カードに割り当てられている受付番号は、必ずしも連続したものではないとともに、付帯情報１、２から明らかなように、指定交付時刻に該当する受付番号が資格の種別により分類される。各カードの受付番号及び資格の種別は記憶部４に記憶さているので、枚数決定部としての制御部５は入力部１で入力された情報に基づいて、各バッチに該当するカードの情報を記憶部４から抽出するとともに、カードの枚数を決定し、決定した抽出枚数の情報を時間管理部６に出力する。
【００４５】
交付時刻は、所定情報が記録され、ラミネート等の必要な処理が施され、作成完了した時点から、申請書に交付されるまでの時間であり、交付時刻には、たとえば、カードの説明や資格の付与に付随した講習時間等が含まれる。
【００４６】
７は割り込み入力部であり、表１に示すバッチについて連続カード作成工程中に、割り込みにより特定のカードを優先して作成するために入力部である。
【００４７】
通信部３は、撮影装置ＰＳとプリンタＰＴ及びホストコンピュータＨＣとの間の送信・受信を行う。
【００４８】
プリンタＰＴは撮影装置ＰＳからの、記録情報及びプリント指令を受けて、カードＣＤに所定の情報を記録する。記録されたカードＣＤは１個のスタッカ１４に収納される。
【００４９】
通信部１０を介して、撮影部ＰＳから伝送された記録情報及びプリント指令により、制御部１１は記録部１２を起動して、カードＣＤに所定の情報を記録する。
【００５０】
記録には、画像記録部１２Ａによる顔写真、文字、数字、記号等の印刷、電子記録部１２ＢによるＩＣメモリＣＤＡへの記録及び磁気記録部１２Ｃによる磁気記録層ＣＤＢへの記録等が含まれる。
【００５１】
前記に説明した例では、交付日時や付帯情報が全てオペレータが操作する入力部１から入力されるが、交付日時及び付帯情報の少なくとも一部をホストコンピュータＨＣから入力するシステム構成とすることもできる。
【００５２】
図２は、本発明の実施の形態に係るカード発行装置における制御の例のフローチャートである。
【００５３】
ステップＳ１において、制御部５は交付日時を日時入力部１Ａから読み込む。次に、ステップＳ２において、制御部５は付帯情報入力部１Ｂから付帯情報を読み込み、読み込んだ情報に基づいて処理枚数を決定する。次に、ステップＳ３において、時間管理部６が、交付日時、処理枚数及び付帯情報に基づいてカード発行開始時刻を決定する。この決定は前記演算式に基づいて行われる。
【００５４】
制御手段としての制御部５はステップＳ４において時間を監視しており、ステップＳ３において決定した発行開始時刻となったときに（ステップＳ４のｙｅｓ）、発行開始信号をプリンタＰＴに出力し（Ｓ５）、プリンタＰＴの制御部１１は記録部１２を起動してカードの発行を開始する（Ｓ６）。ステップＳ５の発行開始信号には、カードに記録する画像情報、電子情報、磁気情報等の記録情報が含まれる。カードの発行は、生カードに、印刷、電子記録及び磁気記録を行って、所定の情報を記録し、保護層をラミネートするカード作成作業が主体である。カード発行の開始とともに、発行報知部としての報知部１３が発行作業中であることを報知する。具体的には、ランプ点灯による報知が行われる（Ｓ７）。
【００５５】
割り込み要求がない場合には（Ｓ８のｎｏ）、所定枚数のカード作成が完了した段階で（Ｓ９のｙｅｓ）、ステップＳ４に戻る。
【００５６】
カード作成が完了し、カードが正常に作成されたことの確認ができた段階で、記憶部４に蓄積されている情報を消去することが行われる。この消去工程は、報知部９における発行報知の終了や、正常なカード作成の完了を確認し、更に、カードを申請者に交付したことを確認した後に、オペレータの操作で行われることが望ましいが、制御部５がカード作成完了時点から一定時間経過後に自動的に消去を行うようにしてもよい。
【００５７】
割り込み要求があったときは（Ｓ８のｙｅｓ）、割り込み処理によるカード作成を行い（Ｓ１０）、割り込み処理を行っている旨の報知を割り込み報知部としての報知部１３が行う（Ｓ１１）。ステップＳ１１の報知は、例えば、ブザーにより行われ、離れた位置にまで伝達されるような手段で行われる。割り込み処理によるカード作成が終了したら、ステップＳ９に戻って、バッチ処理によるカード作成が行われる。
【図面の簡単な説明】
【００５８】
【図１】本発明の実施の形態に係るカード発行装置のブロック図である。
【図２】本発明の実施の形態に係るカード発行装置における制御のフローチャートである。
【符号の説明】
【００５９】
１  入力部
１Ａ  日時入力部
１Ｂ  付帯情報入力部
２  撮影部
３  通信部
４  記憶部
５  制御部
６  時間管理部
７  割り込み入力部
ＰＳ  撮影装置
ＳＣ  ホストコンピュータ
ＰＴ  プリンタ
ＣＤ  カード
【図１】
2005084855.tif 000004
【図２】
2005084855.tif 000005